(57)【要約】【課題】色温度の調整の不自然さを低減させること。【解決手段】情報処理装置は、外部環境の色温度の変化を検知する検知部と、前記色温度の変化に応じて、変化後の色温度に対応した目標値に、表示部の色温度を所定の速度で変更する変更部と、表示部に表示される画像の変化に応じ、変化前後の画像の明るさの変化の有無を判定する判定部とを有し、前記変更部は、前記表示部の色温度の変更中に、前記画像の明るさの変化が有ると判定された場合に、前記所定の速度と異なる速度で前記表示部の色温度を変更する。【選択図】図２
2013225722.tif 000002
【特許請求の範囲】
【請求項１】
外部環境の色温度の変化を検知する検知部と、
前記色温度の変化に応じて、変化後の色温度に対応した目標値に、表示部の色温度を所定の速度で変更する変更部と、
表示部に表示される画像の変化に応じ、変化前後の画像の明るさの変化の有無を判定する判定部と、
を有し、
前記変更部は、前記表示部の色温度の変更中に、前記画像の明るさの変化が有ると判定された場合に、前記所定の速度と異なる速度で前記表示部の色温度を変更する情報処理装置。
【請求項２】
前記変更部は、前記表示部の色温度の変更中に、変化後の画像が変化前の画像よりも暗いと判定された場合に、前記所定の速度よりも遅い速度で前記表示部の色温度を変更する請求項１記載の情報処理装置。
【請求項３】
前記変更部は、前記表示部の色温度の変更中に、変化後の画像が変化前の画像よりも明るいと判定された場合に、前記所定の速度よりも速い速度で前記表示部の色温度を変更する請求項１又は２記載の情報処理装置。
【請求項４】
前記判定部は、変化前後のそれぞれの画像の画素値の分布に基づいて、前記変化前後の画像の明るさの変化の有無を判定する請求項１乃至３いずれか一項記載の情報処理装置。
【請求項５】
外部環境の色温度の変化を検知し、
前記色温度の変化に応じて、変化後の色温度に対応した目標値に、表示部の色温度を所定の速度で変更し、
表示部に表示される画像の変化に応じ、変化前後の画像の明るさの変化の有無を判定する処理を情報処理装置が実行し、
前記変更する処理は、前記表示部の色温度の変更中に、前記画像の明るさの変化が有ると判定された場合に、前記所定の速度と異なる速度で前記表示部の色温度を変更する表示制御方法。
【請求項６】
外部環境の色温度の変化を検知し、
前記色温度の変化に応じて、変化後の色温度に対応した目標値に、表示部の色温度を所定の速度で変更し、
表示部に表示される画像の変化に応じ、変化前後の画像の明るさの変化の有無を判定する処理を情報処理装置に実行させ、
前記変更する処理は、前記表示部の色温度の変更中に、前記画像の明るさの変化が有ると判定された場合に、前記所定の速度と異なる速度で前記表示部の色温度を変更する表示制御プログラム。
【発明の詳細な説明】
【技術分野】
【０００１】
本発明は、情報処理装置、表示制御方法、及び表示制御プログラムに関する。
【背景技術】
【０００２】
テレビや電子機器のモニタ等の表示機器には、色温度というパラメータがある。例えば、昼光色の蛍光灯の下、電球色の蛍光灯の下、又は屋外の太陽光の下等、周囲の環境の光の加減によって画面の見え方は大きく異なる。各環境は、色温度が異なり、人の目は色温度の変化に順応して、色を識別するからである。例えば、太陽光下において白く見える紙を、電球色の蛍光灯の下で見ると、最初は赤みを帯びて見えるが、時間の経過に応じて、白く見えるようになる。人の目のこのような特性を色順応という。
【０００３】
したがって、画面に表示されている物品の本来の色味に近い色味を得るためには、表示機器の色温度が正しく調整される必要が有る。例えば、太陽光下において白く見える画像が、そのままの色味で電球色の蛍光灯下で表示機器に表示された場合、人の目には、当該画像は、青くみえてしまう可能性がある。
【０００４】
従来、このような色温度の調整を自動で実行可能な表示機器も有る。
【先行技術文献】
【特許文献】
【０００５】
【特許文献１】特開平６−２６１３３４号公報
【特許文献２】特開２００９−２６７９６７号公報
【発明の概要】
【発明が解決しようとする課題】
【０００６】
しかしながら、自動的な色温度の調整中に、表示対象の画像が切り替わり、表示前後の画像間において明るさが異なる場合、表示機器の色温度の変化が人の目に不自然さを与えてしまう可能性が有る。
【０００７】
例えば、表示対象が明るい画像から暗い画像に切り替わった場合、人の目には、いきなり色温度が変わったかのような不自然な態様で色温度の調整が行われる可能性がある。人の目は、暗い画像から明るい画像への変化には追従し易いが、その逆の変化には追従しづらいからである。
【０００８】
そこで、一側面では、色温度の調整の不自然さを低減させることを目的とする。
【課題を解決するための手段】
【０００９】
一つの案では、情報処理装置は、外部環境の色温度の変化を検知する検知部と、前記色温度の変化に応じて、変化後の色温度に対応した目標値に、表示部の色温度を所定の速度で変更する変更部と、表示部に表示される画像の変化に応じ、変化前後の画像の明るさの変化の有無を判定する判定部とを有し、前記変更部は、前記表示部の色温度の変更中に、前記画像の明るさの変化が有ると判定された場合に、前記所定の速度と異なる速度で前記表示部の色温度を変更する。
【発明の効果】
【００１０】
一態様によれば、色温度の調整の不自然さを低減させることができる。
【図面の簡単な説明】
【００１１】
【図１】本発明の実施の形態における情報処理装置のハードウェア構成例を示す図である。
【図２】本発明の実施の形態における情報処理装置の機能構成例を示す図である。
【図３】表示画像に変化が無い場合の色温度の自動調整の一例を説明するための図である。
【図４】表示画像が暗い画像に変化した場合の色温度の自動調整の一例を示す図である。
【図５】表示画像が明るい画像に変化した場合の色温度の自動調整の一例を示す図である。
【図６】色温度の自動調整処理の処理手順の一例を説明するためのフローチャートである。
【図７】表示画像の解析処理の処理手順の一例を説明するためのフローチャートである。
【図８】画素値のヒストグラムの第一の例を示す図である。
【図９】画素値のヒストグラムの第二の例を示す図である。
【発明を実施するための形態】
【００１２】
以下、図面に基づいて本発明の実施の形態を説明する。図１は、本発明の実施の形態における情報処理装置のハードウェア構成例を示す図である。
【００１３】
図１は、本発明の実施の形態における情報処理装置のハードウェア構成例を示す図である。図１において、情報処理装置１０は、ＲＯＭ１０１、ＲＡＭ１０２、不揮発性ＲＡＭ１０３、ＣＰＵ１０４、無線ＬＡＮ通信部１０５、ＲＧＢセンサ１０６、表示装置１０７、及び入力装置１０８等を有する。
【００１４】
情報処理装置１０での処理を実行させるプログラムは、ＲＯＭ１０１又は不揮発性ＲＡＭ１０３にインストールされる。例えば、当該プログラムが、情報処理装置１０の出荷時に予めインストールされる場合はＲＯＭ１０１に格納されてもよい。なお、ＲＯＭ１０１や不揮発性ＲＡＭ１０３には、当該プログラム以外に、当該プログラムが用いる各種データも記憶され得る。ＲＡＭ１０２は、プログラムの起動指示があった場合に、ＲＯＭ１０１又は不揮発性ＲＡＭ１０３から読み出されたプログラム等を格納する。ＣＰＵ１０４は、ＲＡＭ１０２に格納されたプログラムに従って情報処理装置１０に係る後述される機能を実行する。無線ＬＡＮ通信部１０５は、無線ＬＡＮ通信を行うためのハードウェアである。無線ＬＡＮ通信部１０５は、例えば、無線ＬＡＮ通信用のアンテナ等を含む。ＲＧＢセンサ１０６は、情報処理装置１０の外部環境の色温度を検知又は計測するハードウェアである。表示装置１０７は、プログラムによって出力される各種情報を表示させる。入力装置１０８は、ユーザからの入力指示を受け付けるタッチパネル又はボタン等である。
【００１５】
なお、情報処理装置１０の一例として、スマートフォン、携帯電話、ＰＤＡ（Personal Digital Assistance）、タブレット型端末、又はＰＣ（Personal Computer）等が挙げられる。
【００１６】
図２は、本発明の実施の形態における情報処理装置の機能構成例を示す図である。図２において、情報処理装置１０は、色温度変化検知部１１、色温度調整部１２、及び画像解析部１３等を有する。これら各部は、情報処理装置１０にインストールされたプログラムがＣＰＵ１０４に実行させる処理により実現される。情報処理装置１０は、また、色温度対応情報記憶部１４を有する。色温度対応情報記憶部１４は、例えば、ＲＯＭ１０１又は不揮発性ＲＡＭ１０３等を用いて実現可能である。
【００１７】
色温度変化検知部１１は、ＲＧＢセンサ１０６によって検知される外部環境の色温度の変化を検知する。色温度調整部１２は、外部環境の色温度の変化が色温度変化検知部１１によって検知された場合に、表示装置１０７の色温度を、外部環境の変化後の色温度に適した値に調整又は補正する。色温度対応情報記憶部１４は、外部環境の色温度ごとに、当該色温度に適した表示装置１０７の色温度を対応付けて記憶する。
【００１８】
画像解析部１３は、情報処理装置１０において表示対象とされているコンテンツが切り替わった場合のように、表示装置１０７に表示される画像（以下、「表示画像」という。）が変化した場合の、変化前後の画像の明るさの変化の有無を判定する。
【００１９】
図２に示されるような機能構成によって、情報処理装置１０は、例えば、図３〜図５に示されるように、表示装置１０７の色温度に関して自動調整を実行する。
【００２０】
図３は、表示画像に変化が無い場合の色温度の自動調整の一例を説明するための図である。
【００２１】
図３において、線Ｌ１は、ＲＧＢセンサ１０６によって検知される色温度、すなわち、外部環境の色温度の変化を示す。線Ｌ２は、色温度調整部１２による調整結果、すなわち、表示装置１０７の色温度の変化を示す。線Ｌ３は、表示画像の変化の有無を示す。図３では、表示画像に変化が無い場合であるため、線Ｌ３は、直線となっている。なお、図３において、横軸は時間の経過を示し、縦軸は色温度を示す、色温度の単位は、ケルビン（Ｋ）である。但し、線Ｌ１及び線Ｌ２のみに関して、縦軸の値は有効である。
【００２２】
図３に示されるように、色温度調整部１２は、外部環境の色温度の変化に応じて一定の割合（速度）で、表示装置１０７の色温度を目標値まで変化させる。目標値とは、外部環境の変化後の色温度に適した色温度である。図３の例では、外部環境の色温度が高くなったため、表示装置１０７の色温度が高くなるように調整されている。
【００２３】
図４は、表示画像が暗い画像に変化した場合の色温度の自動調整の一例を示す図である。図４中、図３と同一部分には同一符号を付している。
【００２４】
図４の線Ｌ３は、或る時点において、下側に折れ曲がっている。これは、当該時点において表示画像が暗い画像に変化したことを示す。すなわち、図４では、外部環境の色温度が高くなり、表示装置１０７の色温度の自動調整中に、表示画像が相対的に暗い画像に変化した場合に対応する。この場合、色温度調整部１２は、表示装置１０７の色温度を目標値まで変化させる速度を遅くする。そうすることにより、人の目の明暗の変化に対する追従に対応した速度で、表示装置１０７の色温度を変化させることができる。人の目は、明るい画像から暗い画像への変化に対して追従しづらいからである。
【００２５】
図５は、表示画像が明るい画像に変化した場合の色温度の自動調整の一例を示す図である。図５中、図３と同一部分には同一符号を付している。
【００２６】
図５の線Ｌ３は、或る時点において、上側に折れ曲がっている。これは、当該時点において表示対象が明るいコンテンツに切り替わったことを示す。すなわち、図５では、外部環境の色温度が高くなり、表示装置１０７の色温度の自動調整中に、表示画像が相対的に明るい画像に変化した場合に対応する。この場合、色温度調整部１２は、表示装置１０７の色温度を目標値まで変化させる速度を増加させる。そうすることにより、人の目の明暗の変化に対する追従に対応した速度で、表示装置１０７の色温度を変化させることができる。人の目は、暗い画像から明るい画像への変化に対して追従し易いからである。また、色温度の自動調整時間が短くなるため、消費電力を抑制することができる。
【００２７】
なお、図３〜図５では、外部環境の色温度が高くなった場合について説明しているが、外部環境の色温度が低くなった場合、色温度調整部１２は、同様の速度で、表示装置１０７の色温度を低下させる。すなわち、表示画像が暗い画像に変化した場合は、図３よりも遅い速度で色温度が調整され、明るい画像に変化した場合は、図３よりも速い速度で色温度が調整される。
【００２８】
以下、図３〜図５に示されるような色温度の自動調整を実現するために、情報処理装置１０が実行する処理手順について説明する。
【００２９】
図６は、色温度の自動調整処理の処理手順の一例を説明するためのフローチャートである。
【００３０】
ステップＳ１０１において、色温度変化検知部１１は、表示装置１０７が表示状態であるか非表示状態であるかを判定する。表示状態とは、例えば、画面上に画像が可視状態で表示されている状態をいう。非表示状態とは、例えば、画面からの発光が停止されている状態をいう。
【００３１】
表示装置１０７が表示状態である場合（Ｓ１０１でＹＥＳ）、色温度変化検知部１１は、ＲＧＢセンサ１０６によって検知されている、外部環境の光（以下、「環境光」という。）の色温度を取得する（Ｓ１０２）。続いて、色温度変化検知部１１は、環境光の色温度の変化の有無を判定する（Ｓ１０３）。当該判定は、例えば、ステップＳ１０２が実行されるたびに、取得された色温度をＲＡＭ１０２に記憶しておき、前回取得された色温度と、今回取得された色温度とを比較することにより行われてもよい。また、色温度の変化の有無は、色温度の変化幅が所定値を超えるか否かによって判定されてもよい。
【００３２】
環境光の色温度が変化したと判定される場合（Ｓ１０３でＹＥＳ）、色温度調整部１２は、環境光の色温度に適した表示装置１０７の色温度を色温度対応情報記憶部１４を参照して求める（Ｓ１０４）。具体的には、当該環境光の色温度及びそれに対する表示装置１０７の色温度が色温度対応情報記憶部１４に記憶されている場合、当該表示装置１０７の色温度が取得される。また、当該環境光の色温度及びそれに対する表示装置１０７の色温度が色温度対応情報記憶部１４に記憶されていない場合、色温度対応情報記憶部１４に記憶されている値に基づいて、例えば、線形補間によって、表示装置１０７の色温度が算出される。なお、求められた色温度を、以下「目標値」という。
【００３３】
続いて、色温度調整部１２は、表示装置１０７の色温度を、現在の色温度から目標値まで、例えば、１００／１００［Ｋ／ｍｓ］の速度で、変更を開始する（Ｓ１０５）。その結果、表示装置１０７の色温度は、１００／１００［Ｋ／ｍｓ］の速度で変化し始める。
【００３４】
表示装置１０７の色温度の変更の開始後、画像解析部１３は、表示画像が変化したか否かを判定する（Ｓ１０６）。表示画像が変化しない場合（Ｓ１０６でＮＯ）、色温度調整部１２は、表示装置１０７の色温度は目標値に到達したか否かを判定する（Ｓ１１２）。目標値に到達していない場合（Ｓ１１２でＮＯ）、ステップＳ１０２以降が繰り返される。その後、環境光の色温度が変化しない状態が継続し（Ｓ１０３でＮＯ）、表示装置１０７の色温度の変更中であれば（Ｓ１１３でＹＥＳ）、表示画像が切り替わらない限り（Ｓ１０５でＮＯ）、表示装置１０７の色温度は、１００／１００［Ｋ／ｍｓ］の速度で変化し続ける。
【００３５】
表示装置１０７の色温度が目標値に到達すると（Ｓ１１２でＹＥＳ）、色温度調整部１２は、表示装置１０７の色温度の変更を停止する（Ｓ１１４）。
【００３６】
一方、表示装置１０７の色温度の変更の開始後に、表示画像が切り替わると（Ｓ１０５でＹＥＳ）、画像解析部１３は、表示画像の解析処理を実行する（Ｓ１０７）。当該解析処理では、表示装置１０７における表示画像が、これまでよりも明るい画像又は暗い画像に変化したか否か等が判定される。
【００３７】
表示画像が、これまでよりも明るい画像に変化した場合（Ｓ１０８でＹＥＳ）、色温度調整部１２は、表示装置１０７の色温度の変更速度を速くする（Ｓ１０９）。例えば、色温度の変更速度が、２００／１００［Ｋ／ｍｓ］に変更される。一方、表示画像が、これまでよりも暗い画像に切り替わった場合（Ｓ１１０でＹＥＳ）、色温度調整部１２は、表示装置１０７の色温度の変更速度を遅くする（Ｓ１１１）。例えば、色温度の変更速度が、５０／１００［Ｋ／ｍｓ］に変更される。表示画像の明るさが変化しない場合（Ｓ１１０でＮＯ）、色温度の変更速度の変更は行われない。なお、上記における色温度の変更速度の値は、一例である。
【００３８】
その後、環境光の色温度が変化せず、表示画像が切り替わらない限り、表示装置１０７の色温度が目標値に到達するまで、変更された速度で当該色温度が変更される。表示装置１０７の色温度が目標値に到達すると（Ｓ１１２でＹＥＳ）、色温度調整部１２は、表示装置１０７の色温度の変更を停止する（Ｓ１１４）。
【００３９】
続いて、ステップＳ１０７の詳細について説明する。図７は、表示画像の解析処理の処理手順の一例を説明するためのフローチャートである。
【００４０】
ステップＳ２０１において、画像解析部１３は、変数Ｃｕｒ＿Ｌｅｖｅｌの値を変数Ｏｌｄ＿Ｌｅｖｅｌに代入する。変数Ｃｕｒ＿Ｌｅｖｅｌには、図７の処理が実行されるたびに、その時点の表示画像の明るさのレベルが代入される。したがって、ステップＳ２０１では、図７の処理が前回実行された際、すなわち、切り替わる前の表示画像の明るさのレベルが、変数Ｏｌｄ＿Ｌｅｖｅｌに退避される。
【００４１】
続いて、画像解析部１３は、現在の表示画像を取得する（Ｓ２０２）。当該表示画像は、例えば、表示装置１０７における、非図示のビデオメモリから取得されてもよい。
【００４２】
続いて、画像解析部１３は、取得された表示画像を２値化する（Ｓ２０３）。その結果、例えば、ＲＧＢごとに０〜２５５の値を有していた表示画像の各画素の画素値は、０〜２５５の階調で明暗を示す値（濃度値）となる。なお、画像は、２５６階調に限定されない。本実施の形態では、２５５が黒であり、最も暗く、０が白であり、最も明るいこととする。
【００４３】
続いて、画像解析部１３は、２値化された表示画像の画素値（濃度値）の分布状況を解析するため、画素値のヒストグラムを仮想的に生成する（Ｓ２０４）。具体的には、画像解析部１３は、０〜２５５の各画素値について、当該画素値を有する画素数を計数する。
【００４４】
図８は、画素値のヒストグラムの第一の例を示す図である。図８では、２５５〜０の画素値（濃度値）ごとに、画素数の計数結果が示されている。
【００４５】
続いて、画像解析部１３は、ヒストグラムの画素値の範囲を、暗い方（２５５）から順に、レベル１〜レベル３の３つの範囲に３等分し、各レベルに含まれる画素数を計数する（Ｓ２０５）。図８では、レベル１〜レベル３に３等分された状態が示されている。
【００４６】
続いて、画像解析部１３は、レベル３の画素数が所定の割合α以上であるか否かを判定する（Ｓ２０６）。所定の割合αは、例えば、６０％等、レベル３の画素数が、他のレベルの画素数よりも多いことが保証される値であることが望ましい。レベル３の画素数が所定の割合α以上である場合（Ｓ２０６でＹＥＳ）、画像解析部１３は、変数Ｃｕｒ＿Ｌｅｖｅｌにレベル３を代入する（Ｓ２０７）。例えば、ヒストグラムが図８に示されるような状態である場合、変数Ｃｕｒ＿Ｌｅｖｅｌにレベル３が代入される。
【００４７】
レベル３の画素数が所定の割合α以上でない場合（Ｓ２０６でＮＯ）、画像解析部１３は、レベル１の画素数が所定の割合α以上であるか否かを判定する（Ｓ２０８）。レベル１の画素数が所定の割合α以上である場合（Ｓ２０８でＹＥＳ）、画像解析部１３は、変数Ｃｕｒ＿Ｌｅｖｅｌにレベル１を代入する（Ｓ２０９）。例えば、ヒストグラムが図９に示されるような状態である場合、変数Ｃｕｒ＿Ｌｅｖｅｌにレベル１が代入される。
【００４８】
図９は、画素値のヒストグラムの第二の例を示す図である。図９では、画素値（濃度値）の分布がレベル１に偏っている（又は集中している）。
【００４９】
レベル１の画素数が所定の割合α未満である場合（Ｓ２０８でＮＯ）、画像解析部１３は、変数Ｃｕｒ＿Ｌｅｖｅｌにレベル２を代入する（Ｓ２１０）。
【００５０】
続いて、画像解析部１３は、変数Ｃｕｒ＿Ｌｅｖｅｌが示すレベルは、変数Ｏｌｄ＿Ｌｅｖｅｌが示すレベルより高いか否かを判定する（Ｓ２１１）。レベルが高いとは、レベルＮと表記した場合に、Ｎの値が大きいことをいう。例えば、レベル３は、レベル２及びレベル１よりも高いレベルであるとされる。したがって、ステップＳ２１１における判定は、変化後の表示画像は、変化前の表示画像よりも明るいか否かの判定に相当する。
【００５１】
変数Ｃｕｒ＿Ｌｅｖｅｌが示すレベルが、変数Ｏｌｄ＿Ｌｅｖｅｌが示すレベルより高い場合（Ｓ２１１でＹＥＳ）、画像解析部１３は、変化後の表示画像は、変化前の表示画像より明るいと判定する（Ｓ２１２）。
【００５２】
変数Ｃｕｒ＿Ｌｅｖｅｌが示すレベルが、変数Ｏｌｄ＿Ｌｅｖｅｌが示すレベルより高くない場合（Ｓ２１１でＮＯ）、画像解析部１３は、変数Ｃｕｒ＿Ｌｅｖｅｌが示すレベルは、変数Ｏｌｄ＿Ｌｅｖｅｌが示すレベルより低いか否かを判定する（Ｓ２１３）。当該判定は、変化後の表示画像は、変化前の表示画像よりも暗いか否かの判定に相当する。
【００５３】
変数Ｃｕｒ＿Ｌｅｖｅｌが示すレベルが、変数Ｏｌｄ＿Ｌｅｖｅｌが示すレベルより低い場合（Ｓ２１３でＹＥＳ）、画像解析部１３は、変化後の表示画像は、変化前の表示画像より暗いと判定する（Ｓ２１４）。変数Ｃｕｒ＿Ｌｅｖｅｌが示すレベルが、変数Ｏｌｄ＿Ｌｅｖｅｌが示すレベルと同じである場合（Ｓ２１３でＮＯ）、画像解析部１３は、表示画像の変化前後において明るさの変化は無いと判定する（Ｓ２１５）。
【００５４】
なお、図７では、ヒストグラムを３等分した例を示したが、４等分等、更に細分化されてもよい。また、ステップＳ２０６及びＳ２０８等の表示画像のレベルの判定において、各レベルの画素数の割合と所定の割合αとが比較されたが、各レベルの画素数が最も多いか否かが判定されてもよい。例えば、ステップＳ２０６では、レベル３の画素数が最も多いか否かが判定されてもよい。
【００５５】
上述したように、本実施の形態によれば、表示装置１０７の色温度の調整中に表示画像の明るさが変化した場合、色温度の調整速度が動的に変更される。したがって、人の目の明暗に対する追従に適した速度で、表示装置１０７の色温度を調整することができる。その結果、表示装置１０７の色温度の調整の不自然さを低減させることができる。
【００５６】
なお、本実施の形態において、色温度変化検知部１１は、検知部の一例である。色温度調整部１２は、変更部の一例である。画像解析部１３は、判定部の一例である。表示装置１０７は、表示部の一例である。
【００５７】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００５８】
１０          情報処理装置
１１          色温度変化検知部
１２          色温度調整部
１３          画像解析部
１４          色温度対応情報記憶部
１０１        ＲＯＭ
１０２        ＲＡＭ
１０３        不揮発性ＲＡＭ
１０４        ＣＰＵ
１０５        無線ＬＡＮ通信部
１０６        ＲＧＢセンサ
１０７        表示装置
１０８        入力装置
【図１】
2013225722.tif 000003
【図２】
2013225722.tif 000004
【図３】
2013225722.tif 000005
【図４】
2013225722.tif 000006
【図５】
2013225722.tif 000007
【図６】
2013225722.tif 000008
【図７】
2013225722.tif 000009
【図８】
2013225722.tif 000010
【図９】
2013225722.tif 000011